(57)【要約】【課題】ＨＤＴＶ規格とＳＤＴＶ規格のコンテンツが混在して記録される記録媒体において、一方の規格の画像フォーマットで作成されたメニュー画面のみを見てフォーマット操作を行った結果、他方の規格の画像フォーマットのコンテンツの誤消去を防止できる記録再生装置を提供する。【解決手段】記録再生装置１００は、入力部１０９を介したユーザからのフォーマット操作指示の入力を受け付けて画像生成部１１１に対して警告画面を生成する指示を行う制御部１１０、制御部１１０からの指示に従って警告画面を生成する画像生成部１１１、画像生成部１１１で生成された警告画面を表示する表示部１１２、及びディスク上にＣＯＮＴＥＮＴＳ以外の他の規格で記録されたディレクトリが存在していないかどうかを検索する検索部１１６等を備える。【選択図】図１
2008004137.tif 000002
【特許請求の範囲】
【請求項１】
複数の解像度のコンテンツの記録が可能な記録媒体を処理する記録再生装置であって、
ユーザのフォーマット操作の指示を検出する検出手段と、
前記検出手段においてフォーマット操作の指示を検出した場合には、前記記録媒体に前記フォーマット操作の指示がされたコンテンツとは異なる解像度のコンテンツが記録されているか否かの警告を行う警告手段とを備える
ことを特徴とする記録再生装置。
【請求項２】
さらに、
前記検出手段においてフォーマット操作の指示を検出した場合に、前記異なる解像度で記録されたコンテンツが前記記録媒体に記録されているか否かを検索する検索手段を備え、
前記警告手段は、前記検索手段において前記異なる解像度のコンテンツが記録されていると検索された場合にのみ前記警告を行う
ことを特徴とする請求項１記載の記録再生装置。
【請求項３】
前記検出手段は、所定の解像度に対応したメニュー画面を介したユーザのフォーマット操作の指示を検出する
ことを特徴とする請求項１又は２記載の記録再生装置。
【請求項４】
前記警告手段は、警告画面表示又は警告音を発することにより、前記警告を行う
ことを特徴とする請求項１又は２記載の記録再生装置。
【請求項５】
複数の規格に基づくコンテンツの記録が可能な記録媒体を処理する記録再生装置であって、
ユーザのフォーマット操作の指示を検出する検出手段と、
前記検出手段においてフォーマット操作の指示を検出した場合には、前記記録媒体に前記フォーマット操作の指示がされたコンテンツとは異なる規格のコンテンツが記録されているか否かの警告を行う警告手段とを備える
ことを特徴とする記録再生装置。
【請求項６】
さらに、
前記検出手段においてフォーマット操作の指示を検出した場合に、前記異なる規格で記録されたコンテンツが前記記録媒体に記録されているか否かを検索する検索手段を備え、
前記警告手段は、前記検索手段において前記異なる規格のコンテンツが記録されていると検索された場合にのみ前記警告を行う
ことを特徴とする請求項５記載の記録再生装置。
【請求項７】
複数の解像度のコンテンツの記録が可能な記録媒体を処理する記録再生方法であって、
ユーザのフォーマット操作の指示を検出する検出ステップと、
前記検出ステップにおいてフォーマット操作の指示を検出した場合には、前記記録媒体に前記フォーマット操作の指示がされたコンテンツとは異なる解像度のコンテンツが記録されているか否かの警告を行う警告ステップとを含む
ことを特徴とする記録再生方法。
【請求項８】
さらに、
前記検出ステップにおいてフォーマット操作の指示を検出した場合に、前記異なる解像度で記録されたコンテンツが前記記録媒体に記録されているか否かを検索する検索ステップを含み、
前記警告ステップにおいては、前記検索ステップにおいて前記異なる解像度のコンテンツが記録されていると検索された場合にのみ前記警告を行う
ことを特徴とする請求項７記載の記録再生方法。
【請求項９】
複数の解像度のコンテンツの記録が可能な記録媒体を処理する記録再生装置に用いるプログラムであって、
ユーザのフォーマット操作の指示を検出する検出ステップと、
前記検出ステップにおいてフォーマット操作の指示を検出した場合には、前記記録媒体に前記フォーマット操作の指示がされたコンテンツとは異なる解像度のコンテンツが記録されているか否かの警告を行う警告ステップとをコンピュータに実行させる
ことを特徴とするプログラム。
【請求項１０】
さらに、
前記検出ステップにおいてフォーマット操作の指示を検出した場合に、前記異なる解像度で記録されたコンテンツが前記記録媒体に記録されているか否かを検索する検索ステップを含み、
前記警告ステップにおいては、前記検索ステップにおいて前記異なる解像度のコンテンツが記録されていると検索された場合にのみ前記警告を行う
ことを特徴とする請求項９記載のプログラム。
【発明の詳細な説明】
【技術分野】
【０００１】
本発明は、例えばＤＶＤ等の記録媒体に対して映像コンテンツ等のデータを記録する記録再生装置に関する。
【背景技術】
【０００２】
従来、ＤＶＤの記録再生装置においては、標準テレビ方式（ＳＤＴＶ）映像信号のみを扱っている。この記録再生装置においては、ディスク上にサムネイル画像やコンテンツ情報を記録しておき、他の記録再生装置において再生する際に（同じ記録再生装置で再生する場合も含む）、記録された情報からメニュー画面を作成して表示する再生メニュー画面や、メニュー画面の構成自体をディスクに記録し、記録側で意図したとおりのメニュー画面を記録再生装置において表示するディスクメニューにより、ディスクに記録されたコンテンツの情報をユーザに提示することが出来る。
【０００３】
図７は、従来の記録装置に表示されるディスクメニューの画面７００の一例を示す。この従来のディスクメニュー画面７００は、記録媒体に記録されているコンテンツの内容をサムネイル画像の一覧として表示し、ユーザのコンテンツ選択操作を容易にするものである。また、本図に示すように、標準の解像度であるＳＤＴＶ解像度にあったサイズ（特にサムネイル画像枚数）のディスクメニューが記録媒体に記録されている。
【０００４】
ところで、このような従来の記録再生装置において、ユーザがディスク上に記録されたコンテンツを全消去するフォーマット操作する場合は、ユーザがメニュー画面を表示し、サムネイル画像からコンテンツの要・不要を判定して、そのディスクに記録されているコンテンツを全て網羅して判定したうえでフォーマット操作を実行する。
【特許文献１】特開２００４−５７７６号公報
【発明の開示】
【発明が解決しようとする課題】
【０００５】
しかしながら、近年は高密度の次世代ディスクを用いてハイビジョンを記録可能な次世代ディスクの記録再生装置が商品化されており、標準テレビ方式用規格と、別のハイビジョン用規格を同一ディスクに記録する機能を持った記録再生装置が実現されている。
【０００６】
この場合において、標準画質のＳＤＴＶ又はハイビジョンに対応した画質のＨＤＴＶの一方のみの再生メニュー画面もしくはディスクメニューを見て記録媒体をフォーマットする操作を行った場合、ユーザが意図しない、もう一方の規格、解像度、画像サイズ等で記録されている必要なコンテンツが一緒に消去されてしまうという問題がある。
【０００７】
すなわち、メニュー表示のための情報は、一般に記録規格が異なればディスク上で異なるディレクトリに記録されるが、現状では、標準テレビ方式用規格と、別のハイビジョン用規格を同一のディスクに記録する記録再生装置は無い。このため、一つのディスクの異なるディレクトリに別々のメニュー表示のための情報が記録されることは無い。従って、同一のディスクに、例えば、ＨＤＴＶ規格で記録されたコンテンツとＳＤＴＶ規格で記録されたコンテンツとが混在して記録される場合には、一方の規格に対応したメニュー画面を表示して、フォーマット操作を行う場合に、他の規格で記録されている必要なコンテンツのデータの存在をユーザが認識できずユーザの意図に反して自動的に消去されてしまうという問題がある。
【０００８】
本発明は上記課題に鑑みてなされたものであり、特に、コンテンツを異なる規格や解像度で記録可能な記録媒体を使用する際において、一方の規格や解像度の再生メニュー画面もしくはディスクメニューを見てコンテンツのフォーマット操作を行った場合においても、他の規格や解像度で記録されている必要なコンテンツが誤消去されることを防止できる記録再生装置を提供することを目的とする。
【課題を解決するための手段】
【０００９】
前記目的を達成するために、本発明に係わる記録再生装置は、複数の解像度のコンテンツの記録が可能な記録媒体を処理する記録再生装置であって、ユーザのフォーマット操作の指示を検出する検出手段と、前記検出手段においてフォーマット操作の指示を検出した場合には、前記記録媒体に前記フォーマット操作の指示がされたコンテンツとは異なる解像度のコンテンツが記録されているか否かの警告を行う警告手段とを備えることを特徴とする。
【００１０】
この構成により、記録媒体に、例えば、ＳＤＴＶ解像度とＨＤＴＶ解像度の両方のコンテンツを記録可能である場合に、検出手段において、ＨＤＴＶ解像度の再生メニュー画面もしくはディスクメニューのみを見て確認した結果でされるフォーマット操作の検出を行い、警告手段においてユーザに対して異なる解像度で記録されているコンテンツがあるか否かの警告をすることで、ユーザが本来残しておきたいＳＤＴＶ解像度のコンテンツの誤消去を確実に防ぐことが出来る。
【００１１】
また、本発明に係る記録再生装置は、さらに、前記検出手段において前記ユーザのフォーマット操作の指示を検出した場合に、前記異なる解像度で記録されたコンテンツが前記記録媒体に記録されているかを検索する検索手段を備え、前記警告手段は、前記検索手段において前記異なる解像度のコンテンツが記録されていると検索された場合にのみ前記警告を行うことを特徴とする。
【００１２】
この構成により、検索手段において、フォーマット操作された解像度とは異なる解像度を用いたコンテンツが記録媒体に記録されているかを検出して、検出された場合においてのみ警告手段において警告を行うことが可能となる。
【００１３】
尚、前記目的を達成するために、本発明は、記録再生装置の特徴的な手段をステップとする記録再生方法として実現したり、コンピュータに各ステップを実行させるためのプログラムとして実現することもできる。そのようなプログラムは、ＣＤ−ＲＯＭ等の記録媒体やインターネット等の伝送媒体を通じて配信することができるのは言うまでもない。
【発明の効果】
【００１４】
本発明に係る記録再生装置においては、特に、異なる規格や解像度でコンテンツを混在させて記録可能なディスクを用いる場合において、一方の規格や解像度の再生メニュー画面もしくはディスクメニューを見てフォーマット操作してしまい、他方の規格や解像度で記録されているユーザが必要なコンテンツの誤消去を適切に防ぐことが可能となる。
【発明を実施するための最良の形態】
【００１５】
以下、本発明に係わる実施の形態について図面を参照しながら説明する。
【００１６】
（実施の形態）
図１は、本発明に係る記録再生装置１００のハードウェア構成を示す図を示す。
【００１７】
本実施の形態の記録再生装置１００は、レンズ群１０１、撮像部１０２、Ａ／Ｄ変換部１０３、映像信号処理部１０４、圧縮多重部１０５、記録処理部１０６、記録制御部１０８、入力部１０９、制御部１１０、画像生成部１１１、表示部１１２、映像信号処理部１１３、分離伸張部１１４、再生処理部１１５、及び検索部１１６を備える。
【００１８】
なお、本発明に係る記録再生装置１００は、ＨＤＴＶ／ＳＤＴＶに対応した規格に基づくコンテンツが混在して記録されているディスクのうち、一方の規格に対応したメニュー画面を介してコンテンツを全消去するフォーマット操作を行う場合に、他方の規格で記録されたコンテンツが残っているか否かの警告、若しくは他の規格に対応して記録されているフォルダが無いかを検出することを特徴とする。
【００１９】
また、本実施の形態の説明においては、異なる規格で記録されたコンテンツが１つのディスクに混在している場合について説明するが、規格のみでなく解像度や画像サイズ等の他の情報を用いることも可能である。
【００２０】
レンズ群１０１は、複数の光学レンズから構成される。
撮像部１０２は、撮像素子などから構成され、レンズ群１０１を介して入力された映像を撮像する。撮像した映像をアナログ信号としてＡ／Ｄ変換部１０３に出力する。
【００２１】
Ａ／Ｄ変換部１０３は、撮像部１０２から出力されたアナログ信号をデジタル信号に変換する。変換して得られたデジタル信号を映像信号処理部１０４に出力する。
【００２２】
映像信号処理部１０４は、Ａ／Ｄ変換部１０３から出力されたデジタル信号を映像信号に変換する。変換して得られた映像信号を圧縮多重部１０５に出力する。
【００２３】
圧縮多重部１０５は、映像信号処理部１０４から出力された映像信号を、ＭＰＥＧ−２やＨ．２６４などの符号化方法に基づいて、圧縮して多重する。多重して得られた映像信号をコンテンツとして記録処理部１０６に出力する。
【００２４】
記録処理部１０６は、圧縮多重部１０５から出力されたコンテンツを記録媒体１０に書き込む。
【００２５】
記録制御部１０８は、記録媒体１０を駆動するドライブ装置を制御する。
入力部１０９は、入力デバイスを介してユーザ操作を受け付ける。フォーマット操作はこのユーザ操作に含まれ、入力部１０９は制御部１１０とともに検出手段を構成する。入力部１０９は、また、受け付けたユーザ操作を操作情報として制御部１１０に出力する。
【００２６】
制御部１１０は、映像信号処理部１０４、圧縮多重部１０５、記録処理部１０６、記録制御部１０８、画像生成部１１１、映像信号処理部１１３、分離伸張部１１４、再生処理部１１５を制御して、記録再生装置１００における記録処理、再生処理などを実行する。また、制御部１１０は、画像生成部１１１とともに警告手段を構成し、入力部１０９を介したユーザからのフォーマット操作指示の入力を受け付けて画像生成部１１１に対して警告画面を生成する指示を行う。
【００２７】
画像生成部１１１は、記録媒体１０に記録されているコンテンツが一覧できるメニュー画像を生成するとともに、制御部１１０からの指示に従ってユーザに対してフォーマット操作を行った際の警告画面を生成する。
【００２８】
表示部１１２は、映像信号処理部１１３から出力された映像信号をモニタなどに表示すると共に、画像生成部１１１で生成された警告画面を表示する。
【００２９】
映像信号処理部１１３は、分離伸張部１１４から出力された伸張後のコンテンツを映像信号に変換する。変換して得られた映像信号を表示部１１２に出力する。この映像信号には警告画面表示のための信号が含まれる。また、必要に応じて画像生成部１１１が生成したメニュー画像などをそのまま、もしくは分離伸張部１１４から出力された伸張後のコンテンツに多重して、映像信号として表示部１１２に出力する。
【００３０】
分離伸張部１１４は、再生処理部１１５から出力されたコンテンツを、圧縮多重部１０５が施したＭＰＥＧ−２やＨ．２６４などの符号化方法に基づいて、分離して伸張する。伸張して得られたコンテンツを映像信号処理部１１３に出力する。
【００３１】
再生処理部１１５は、再生対象のコンテンツを記録媒体１０から読み出す。読み出したコンテンツを分離伸張部１１４に出力する。
【００３２】
記録媒体１０にはコンテンツ１２０とともに、コンテンツの内容を示す管理情報１２１が記録される。この管理情報には再生順序情報、部分再生や特殊再生の補助情報などとともに記録されているディスクメニュー画像を生成する元となるメニュー情報が記録されている。
【００３３】
検索部１１６は、例えば、特定の記録規格に対応したＣＯＮＴＥＮＴＳディレクトリからディスクメニュー画面を表示している場合に、ディスク上にＣＯＮＴＥＮＴＳディレクトリ以外（ディスクメニュー画面表示に用いている規格以外）の記録規格のディレクトリやファイルが存在していないかどうかを検索する。そして、ディスク上に他の規格で記録されたディレクトリを検出した場合には、警告画面を生成するように画像生成部１１１に対して指示を行い、画像生成部１１１は生成された警告画面を映像信号処理部１１３に渡して、表示部１１２は警告画面を表示する。尚、本実施の形態の説明において、ユーザに対するフォーマット操作の警告は、表示部１１２に表示する警告画面として説明を行っているが、ユーザに対する他の警告方法、例えば警告音を用いることもできる。
【００３４】
また、本実施の形態においては、記録再生装置１００の検索部１１６がディスクに記録されているデータの規格を全て検索できることを前提として説明しているが、これに限定されるものではなく、未知のディレクトリやデータがディスクに記録されている場合にも警告を行う必要がある。
【００３５】
図２は、本実施の形態における記録媒体に記録されている一方の規格に基づく画像フォーマットにおけるファイル構成を示す図である。
【００３６】
図２に示されるように、ここでは、一例としてＨＤＴＶ画像に対応したファイル構成として、コンテンツフォルダ（ＣＯＮＴＥＮＴＳ）の配下に、インフォファイル１１（ｉｎｆｏ）、メニューファイル１２（ｍｅｎｕ）、プレイリストフォルダ（ＰＬＡＹＬＩＳＴ）、クリップインフォフォルダ（ＣＬＩＰＩＮＦ）、ストリームフォルダ（ＳＴＲＥＡＭ）などが格納されている。インフォファイル１１（ｉｎｆｏ）には、ディレクトリ全体の管理情報が記録されている。メニューファイル１２（ｍｅｎｕ）には、メニューを構成する情報などが含まれる。
【００３７】
さらに、プレイリストフォルダ（ＰＬＡＹＬＩＳＴ）の配下に、プレイリストファイル１３（０１００１．ｐｌｓｔ）などが格納されている。プレイリストファイル１３（０１００１．ｐｌｓｔ）には、コンテンツの再生順序に関する情報などが含まれる。
【００３８】
また、クリップインフォフォルダ（ＣＬＩＰＩＮＦ）の配下に、クリップインフォファイル１４（０１０００．ｃｌｐｉ）などが格納されている。クリップインフォファイル１４（０１０００．ｃｌｐｉ）には、時間情報と映像データとの位置を対応付け、部分再生、特殊再生を実現するタイムテーブルなどが含まれる。
【００３９】
また、ストリームフォルダ（ＳＴＲＥＡＭ）の配下に、ストリームファイル１５（０１０００．ｍ２ｔｓ）などが格納されている。ストリームファイル１５（０１０００．ｍ２ｔｓ）には、ＡＶデータファイルが含まれる。
【００４０】
そして、制御部１１０は、再生制御にあたって、プレイリストファイル１３、クリップインフォファイル１４、ストリームファイル１５の３種類のファイルを使用する。
【００４１】
なお、プレイリストファイルには、再生したいクリップインフォファイルと再生時間が記載されている。このプレイリストファイルを再生すると、指示されたクリップインフォファイルが参照されて、そのタイムテーブルなどの情報を用いて指定されたストリームファイルが再生される。例えば、プレイリストファイル（０１００１．ｐｌｓｔ）には、クリップ（＃１）、クリップ（＃２）などの順に再生されることが示されている。このとき、クリップ（＃１）については、クリップインフォファイル（０１０００．ｃｌｐｉ）によって対応付けられているストリームファイル（０１０００．ｍ２ｔｓ）が再生される。クリップ（＃２）については、クリップインフォファイル（０２０００．ｃｌｐｉ）によって対応付けられているストリームファイル（０２０００．ｍ２ｔｓ）が再生される。
【００４２】
図３は、本実施の形態におけるメニューファイル１２のデータ構造を示す図である。図３に示されるように、メニューファイル１２は、記録媒体１０に記録されているコンテンツを、１以上のページに分けて一覧するディスクメニュー（例えば、図４参照。）を記述したメニューファイルである。
【００４３】
ここでは、一例として、メニューファイル１２には、先頭から順に、“Ｃ＆Ｇ＃１”、“Ｃ＆Ｇ＃２”、“Ｃ＆Ｇ＃３”、“Ｃ＆Ｇ＃４”、・・・のように、各プレイリストファイルと対応付けられた“Ｃ＆Ｇ”が含まれている。その後に、“Ｓｔｉｌｌ  Ｐｉｃｔｕｒｅ＃１”、“Ｓｔｉｌｌ  Ｐｉｃｔｕｒｅ＃２”、“Ｓｔｉｌｌ  Ｐｉｃｔｕｒｅ＃３”、“Ｓｔｉｌｌ  Ｐｉｃｔｕｒｅ＃４”、・・・のように、各“Ｃ＆Ｇ”と対応付けられた“Ｓｔｉｌｌ  Ｐｉｃｔｕｒｅ”が含まれている。なお、このとき、“Ｃ＆Ｇ”は、制御情報と画像情報とで構成されるデータである。
【００４４】
“Ｓｔｉｌｌ  Ｐｉｃｔｕｒｅ”は、メニューの背景画像を符号化したデータである。また、背景画像を構成する画像、例えば、枠、ボタンなどについては、メニューの表示を制御するコマンドが対応付けられている。
【００４５】
例えば、記録再生装置１００は、“Ｃ＆Ｇ＃１”に基づいて、プレイリストファイル（０１００１．ｐｌｓｔ）に記載されているクリップのサムネイル画像を背景画像に含む１ページ目のメニューを表示する。そして、この１ページ目のメニューが表示されている状態で、次のページのメニューを表示させる操作がユーザから受け付けられると、“Ｃ＆Ｇ＃１”の後続の“Ｃ＆Ｇ＃２”に対して同様の処理を実行する。そして、プレイリストファイル（０２００２．ｐｌｓｔ）に記載されているクリップのサムネイル画像を背景画像に含む２ページ目のメニューを表示する。以下、“Ｃ＆Ｇ＃３”、“Ｃ＆Ｇ＃４”についても同様である。
【００４６】
図４は、本実施の形態における記録媒体１０のファイル構成例を示す図である。１つのＤＶＤディスク１０に、Ｈ．２６４などの高圧縮率が得られる画像圧縮技術を用いてＨＤＴＶを記録するディレクトリと、従来方式のＭＰＥＧ２圧縮技術を用いてＳＤＴＶを記録するディレクトリとが同時に記録されている。
【００４７】
この場合、ＨＤ記録規格ディレクトリに記録されたディスクメニューはＨＤＴＶコンテンツのみの一覧表示、またＤＶＤ−ＶＲ規格ディレクトリに記録されたディスクメニューはＳＤＴＶコンテンツのみの一覧表示となっている。
【００４８】
例えば、図２および図３の例に従ってＨＤＴＶコンテンツに対応したディスクメニューがメニューファイルに記録された記録媒体１０が記録再生装置１００に装着されると、制御部１１０はＣＯＮＴＥＮＴＳディレクトリに含まれるメニューファイルを読み出し、まず、“Ｃ＆Ｇ＃１”に基づいて、“Ｓｔｉｌｌ  Ｐｉｃｔｕｒｅ＃１”を背景画像に使用し、さらに矢印や枠などの画像情報を重畳してＨＤＴＶ画像フォーマットのメニュー画面１６０を表示する。このとき、ＤＶＤ＿ＲＴＡＶディレクトリに含まれるＳＤＴＶ画像コンテンツはメニュー画面に表示されない。従って、ユーザが、メニューの中に残したいサムネイル画像が無いことを確認してからフォーマット操作を行うと、ＤＶＤ＿ＲＴＡＶディレクトリに含まれるコンテンツは内容確認されないままに消去されてしまうことになる。
【００４９】
このことを避けるために、上述したように、本実施の形態に係る記録再生装置１００の制御部１１０は、（１）ユーザがフォーマット操作を行ったとき、現在表示されているものとは異なる画像サイズのコンテンツが消去される恐れがある旨を警告する、又は（２）例えば、ＣＯＮＴＥＮＴＳディレクトリからディスクメニューを表示している場合に、ディスク１０にＣＯＮＴＥＮＴＳ以外の他の規格や解像度のディレクトリが存在していないかどうかを確認して、他のディレクトリを検出した場合には警告画面を表示するための制御を行う。
【００５０】
図５は、本実施の形態に係る記録再生装置のフォーマット操作時における動作手順を示すフローチャートである。
【００５１】
最初に、装着された記録媒体１０を読み出して表示部１１２にメニュー画面の表示を行う（Ｓ５０１）。
【００５２】
次に、記録装置の制御部１１０においてユーザから入力部１０９を介してフォーマット操作があったか否かの判定を行う（Ｓ５０２）。
【００５３】
そして、制御部１１０においてユーザのフォーマット操作があったと判定された場合には（Ｓ５０２でＹｅｓ）、検索部１１６は、装着された記録媒体１０に、現在表示中のメニューに対応した記録規格には無いディレクトリ／ファイルはあるか否かを検出する（Ｓ５０３）。
【００５４】
また、検索部１１６において、記録媒体１０に現在表示中のメニューに対応した記録規格には無いディレクトリ／ファイルが存在すると検索される場合においては（Ｓ５０３でＹｅｓ）、画像生成部１１１が生成した警告画面を表示部１１に表示して（Ｓ５０４）、ユーザに記録媒体１０に記録されたコンテンツの誤消去が生じないかの確認を行う。
【００５５】
図６は、本実施の形態に係る記録再生装置１００の表示部１１２に表示される警告画面６００の一例を示す図である。この警告画面６００には、例えば、ユーザがＨＤＴＶ規格に対応したメニュー画面を介してフォーマット操作を行った場合には、「ＳＤＴＶのコンテンツが記録されていませんか？このままフォーマット操作を続けてＯＫですか？」等の表示を行い、ユーザの他の規格で記録されたコンテンツの誤消去に対する警告を行う。
【００５６】
以上の説明のように、本実施の形態における記録再生装置１００によれば、ＨＤＴＶ規格のコンテンツとＳＤＴＶ規格のコンテンツとが同一メディアに混在して記録される場合に、ＨＤＴＶ規格のメニューのみを見てディスクのフォーマット操作を行った結果として、表示部１１２に警告画面を表示することにより、ユーザが意図しないＳＤＴＶ規格で記録された重要なコンテンツを誤消去を確実に避けることができる。
【００５７】
また、検索部１１６において、他の規格に対応するフォルダがあるか否かを検索することにより、フォーマット操作を行う毎に警告表示を行うのではなく、他の規格で記録されたフォルダやコンテンツが記録されている場合にのみ警告表示を行うことも可能となる。
【産業上の利用可能性】
【００５８】
本発明に係る記録再生装置は、可搬性の記録媒体に音声や映像を記録し、記録した音声や映像を再生する記録再生装置などとして、特に、半導体メモリや光ディスク等の記録媒体にＡＶデータを記録するＤＶＤレコーダ、ＢＤ／ＤＶＤ対応レコーダ、ビデオカメラなどとして適用できる。
【図面の簡単な説明】
【００５９】
【図１】本発明に係わる実施の形態における記録再生装置のハードウェア構成を示す図
【図２】本発明に係わる実施の形態における記録媒体に記録されている一方の画像フォーマットにおけるファイル構成を示す図
【図３】本発明に係わる実施の形態におけるメニューファイルのデータ構造を示す図
【図４】本発明に係わる実施の形態における記録媒体のファイル構成例を示す図
【図５】実施の形態に係る記録再生装置のフォーマット操作時における動作手順を示すフローチャート
【図６】実施の形態に係る記録再生装置の表示部に表示される警告画面の一例を示す図
【図７】従来の記録装置に表示されるディスクメニューの画面の一例を示す図
【符号の説明】
【００６０】
１０  記録媒体
１００  記録再生装置
１０１  レンズ群
１０２  撮像部
１０３  Ａ／Ｄ変換部
１０４  映像信号処理部
１０５  圧縮多重部
１０６  記録処理部
１０８  記録制御部
１０９  入力部
１１０  制御部
１１１  画像生成部
１１２  表示部
１１３  映像信号処理部
１１４  分離伸張部
１１５  再生処理部
１１６  検索部
【図１】
2008004137.tif 000003
【図２】
2008004137.tif 000004
【図３】
2008004137.tif 000005
【図４】
2008004137.tif 000006
【図５】
2008004137.tif 000007
【図６】
2008004137.tif 000008
【図７】
2008004137.tif 000009